【事件の表示】
　平成　６年特許願第２５１７４４号「はんだ付け装置」拒絶査定に対する審判事件〔平成　８年　５月　７日出願公開、特開平　８−１１６１６７、請求項の数（２）〕について、次のとおり審決する。
【結　論】
　原査定を取り消す。
　本願の発明は、特許すべきものとする。
【理　由】
【一】手続の経緯・本願発明
　本願は、平成６年１０月１８日にされた特許出願であって、本願請求項１、２に係る発明は、平成１１年９月２７日付け、平成１２年１１月１３日付け及び平成１４年１２月４日付け手続補正書により補正された明細書の特許請求の範囲の請求項１、２に記載された次のとおりのものと認める。
「　　【請求項１】　トンネル状のチャンバ内に不活性ガスを供給する手段により低酸素濃度の不活性ガス雰囲気が形成された前記チャンバ内に板状加熱手段で構成した予備加熱工程部と熱風加熱手段で構成したリフローはんだ付け工程部およびこれら予備加熱工程部およびリフローはんだ付け工程部に配線基板を搬送する搬送手段を備えたはんだ付け装置であって、
　前記チャンバの搬入口および搬出口に前記配線基板を搬送する方向と交差する方向に板面を向けた板状部材を前記配線基板の搬送方向に沿って多数並設したラビリンス部を設け、
　そして前記予備加熱工程部に設ける板状加熱手段として前記チャンバ内に該チャンバを上下に仕切りこの仕切られたチャンバの少なくともリフローはんだ付けを行う面側にパネルヒータを設けるとともにこのパネルヒータには前記ラビリンス部に設けた多数の板状部材と並ぶ板状部材を前記配線基板を搬送する方向と交差する方向に板面を向けて前記配線基板の搬送方向に沿って並設して構成し、
　前記チャンバの搬入口および搬出口に設けられたラビリンス部と前記予備加熱工程部の前記板状部材を設けたパネルヒータとで前記熱風加熱手段で構成されたリフローはんだ付け工程部を封止する構成としたこと、
　を特徴とするはんだ付け装置。
　　　【請求項２】　トンネル状のチャンバ内に不活性ガスを供給する手段により低酸素濃度の不活性ガス雰囲気が形成された前記チャンバ内に板状加熱手段で構成した予備加熱工程部と雰囲気を加熱するヒータおよびこの雰囲気を配線基板のリフローはんだ付けする面側に吹き当てるファンから成る熱風加熱手段で構成したリフローはんだ付け工程部並びにはんだ融液の噴流波を前記配線基板の他方のフローはんだ付け面側に接触させるはんだ槽で構成したフローはんだ付け工程部およびこれら予備加熱工程部とリフローはんだ付け工程部並びにフローはんだ付け工程部とに配線基板を搬送する搬送手段を備えたはんだ付け装置であって、
　前記チャンバの搬入口および搬出口に前記配線基板を搬送する方向と交差する方向に板面を向けた板状部材を前記配線基板の搬送方向に沿って多数並設したラビリンス部を設け、
　そして前記予備加熱工程部に設ける板状加熱手段として前記チャンバ内に該チャンバを上下に仕切りこの仕切られたチャンバの少なくともリフローはんだ付けを行う面側にパネルヒータを設けるとともにこのパネルヒータには前記ラビリンス部に設けた多数の板状部材と並ぶ板状部材を前記配線基板を搬送する方向と交差する方向に板面を向けて前記配線基板の搬送方向に沿って並設して構成し、
　前記チャンバの搬入口および搬出口に設けられたラビリンス部と前記予備加熱工程部の前記板状部材を設けたパネルヒータとで前記熱風加熱手段で構成されたリフローはんだ付け工程部並びにフローはんだ付け工程部を封止する構成としたこと、
　を特徴とするはんだ付け装置。」
【二】原査定の拒絶の理由
　これに対して、原査定の拒絶の理由の概要は、本願出願前に頒布された刊行物である「実願昭５８−５３０３２号（実開昭５９−１５８３６１号）のマイクロフィルム（刊行物 １）」、「特開昭６１−５６７６９号公報（刊行物２）」、「特開平２−２９４０９８号公報（刊行物３）」を引用し、
　(1)チャンバ内に不活性ガスを供給し低酸素濃度雰囲気中で配線基板を搬送しながらはんだ付けを行う装置は周知（必要ならば、特開平６−１９８４８６号公報参照）である．
　(2)そして、この周知のはんだ付け装置においては、チャンバの搬入口および搬出口の少なくとも一方に配線基板を搬送する方向と交差する方向に板面を向けて板状部材を配線基板の搬送方向に沿って並設することが記載されている．
　(3)また、引用刊行物３には、ヒータ１８から発生する輻射熱を遮へいする遮へい板１９によって形成された加熱部２０と、送風ファン２１からの加熱空気を整流する整流板２２が記載されており、この整流板２２により整流板が設置されている室の温度が最適な温度に保たれているのであるから、整流板は、本願発明の板状部材に相当する．
　(4)且つ整流板は、配線基板を搬送する方向と交差する方向に板面を向けて板状部材を配線基板の搬送方向に沿って並設して設けられている．本願発明の板状部材はヒータに並設して雰囲気封止性を向上させているが、引用刊行物３の整流板２２も、雰囲気封止性を向上させているものであり、板状部材をヒータに並設した点に格別のものは認められない．
  (5)したがって、本願発明は、本願出願前に頒布された刊行物に記載された発明に基づいて当業者が容易に発明をすることができたものであり、特許法第２９条第２項の規定により特許を受けることができない．
というものである。
【三】当審の判断
１．引用刊行物３の「整流板２２」が本願発明の「板状部材」に相当するとしているのでこの点について検討する。
　(1)本願請求項１，２に係る発明の「板状部材」は、請求項１及び２に記載のとおり、「チャンバ内に不活性ガスを供給する手段により低酸素濃度の不活性ガス雰囲気が形成されたはんだ付け装置」において、「予備加熱工程部」の「パネルヒータ」に「配線基板を搬送する方向と交差する方向に板面を向けて前記配線基板の搬送方向に沿って並設して構成し」たものであって、「ラビリンス部に設けた多数の板状部材と並ぶ」ものであり、「熱風加熱手段で構成されたリフローはんだ付け工程部を封止する」ものと認められる。そして、明細書の段落【００３３】、【００３４】に記載されたとおり、「リフローはんだ付け工程部を熱風加熱手段で構成すると、この熱風の循環に伴ってチャンバ内には激しい雰囲気流動が生じる」のに対して、前記構成の「板状部材」によって、「チャンバ内の流体抵抗が高まり雰囲気の不必要な流動を確実に制御し、チャンバ内雰囲気のチャンバ外への流出を一層効果的に抑制することができ、搬入口および搬出口のラビリンス部と共に良好な封止を得るものと認められる。
　(2)一方、引用刊行物３は、リフローはんだ付け工程部及びフローはんだ付け工程部を備えるはんだ付け装置を開示するものの、「ヒータ１８により加熱されれた空気は送風ファン２１から整流板２２を通りプリント基板１の走行方向（矢印Ａ方向）と交差する方向の両側に出て上昇し、加熱部２０内に入ることにより循環作用が生ずる。ところで、加熱された空気は送風ファン２１の回転により送風されるが、整流板２２を通過することにより層流となってプリント基板１に均等に吹き付けられるので、プリント基板１の幅方向に対して均等に加熱される」等の記載からみて、引用刊行物３の「整流板２２」は、温風加（予）熱部において空気を層流化するものと認められ、また引用刊行物３のはんだ付け装置が、チャンバ内に不活性ガスを供給する手段により低酸素濃度の不活性ガス雰囲気が形成されたはんだ付け装置に係るものではないことから、不活性ガス雰囲気に対する封止機能をもつものでないことは明らかである。
　(3)したがって、引用刊行物３の「整流板２２」が本願請求項１，２に係る発明の「板状部材」に相当するとすることはできない。
２．本願請求項１，２に係る発明と上記引用刊行物１、２に記載されたものとの対比する。
　上記引用刊行物１，２は、いずれも、チャンバ内に不活性ガスを供給する手段により低酸素濃度の不活性ガス雰囲気が形成されたはんだ付け装置を開示するものではなく、不活性ガス雰囲気に対する封止機能を有する上記「板状部材」に相当する構成を何等開示しない。
３．そして、チャンバ内に不活性ガスを供給し低酸素濃度雰囲気中で配線基板を搬送しながらはんだ付けを行う装置が周知であるとして例示された特開平６−１９８４８６号公報をみても、「予備加熱工程部」の「パネルヒータ」に「配線基板を搬送する方向と交差する方向に板面を向けて前記配線基板の搬送方向に沿って並設して構成し」たものは記載されていない。
４．したがって、引用刊行物１〜３には、本願請求項１に係る発明の「予備加熱工程部に設ける板状加熱手段として前記チャンバ内に該チャンバを上下に仕切りこの仕切られたチャンバの少なくともリフローはんだ付けを行う面側にパネルヒータを設けるとともにこのパネルヒータには前記ラビリンス部に設けた多数の板状部材と並ぶ板状部材を前記配線基板を搬送する方向と交差する方向に板面を向けて前記配線基板の搬送方向に沿って並設して構成し、前記チャンバの搬入口および搬出口に設けられたラビリンス部と前記予備加熱工程部の前記板状部材を設けたパネルヒータとで前記熱風加熱手段で構成されたリフローはんだ付け工程部を封止する構成」、本願請求項２に係る発明の「予備加熱工程部に設ける板状加熱手段として前記チャンバ内に該チャンバを上下に仕切りこの仕切られたチャンバの少なくともリフローはんだ付けを行う面側にパネルヒータを設けるとともにこのパネルヒータには前記ラビリンス部に設けた多数の板状部材と並ぶ板状部材を前記配線基板を搬送する方向と交差する方向に板面を向けて前記配線基板の搬送方向に沿って並設して構成し、前記チャンバの搬入口および搬出口に設けられたラビリンス部と前記予備加熱工程部の前記板状部材を設けたパネルヒータとで前記熱風加熱手段で構成されたリフローはんだ付け工程部並びにフローはんだ付け工程部を封止する構成」は記載されておらず、また、チャンバ内に不活性ガスを供給する手段により低酸素濃度の不活性ガス雰囲気が形成されたはんだ付け装置が本願特許の出願前に周知であるとしても、上記構成が周知のものとは認められないから、本願請求項１、２に係る発明は、上記刊行物１〜３に記載されたものに基づいて当業者が容易に発明をすることができたものとすることはできない。
【四】むすび
　以上のとおりであるから、本願は、原査定の理由及び証拠によって拒絶することはできない。
　また、他に本願を拒絶すべき理由を発見しない。
　よって、結論のとおり審決する。